(57)【特許請求の範囲】
【請求項１】
局発光を発振する発振器と、
所望の入力信号光を受信するように前記局発光の発振波長を制御する制御器と、
前記局発光と入力信号光を混合して検波すると共に、前記入力信号光を受光することができない場合にＬＯＬ（Loss of Light）信号を出力するコヒーレント受信器と、
前記検波によって得られた検波信号が変換された電気信号を信号処理すると共に、前記電気信号を信号処理することができない場合にＬＯＳ（Loss of Signal）信号を出力する信号処理回路と、
前記局発光の発振波長を制御することにより前記コヒーレント受信器が検波した前記入力信号光の波長が期待波長ではない場合に、信号線の誤接続を判定する判定装置と
を備え、
前記制御器は、前記ＬＯＬ信号が検出されず且つ前記ＬＯＳ信号が検出された場合に、前記局発光の発振波長を制御することを特徴とする伝送装置。
【請求項２】
前記期待波長を示す期待波長情報と、前記発振器が発振済みの前記局発光の波長を示す局発光波長履歴情報と、前記コヒーレント受信器によって検波されていない前記入力信号光の波長を示す接続不可波長情報とを格納するレジスタを更に備え、
前記制御器は、(i)前記局発光の発振波長が、前記期待波長情報が示す前記期待波長となるように前記局発光の発振波長を制御し、(ii)前記局発光の発振波長が前記期待波長となるように制御した後に前記ＬＯＬ信号が検出されず且つ前記ＬＯＳ信号が検出された場合に、前記局発光の発振波長が、前記接続不可波長情報が示す波長のうち前記局発光波長履歴情報に含まれる波長以外の一の波長となるように前記局発光の発振波長を制御し、
前記判定装置は、前記局発光の発振波長が前記一の波長となるように制御された後に前記ＬＯＳ信号が検出されなくなった場合に、前記信号線の誤接続を判定することを特徴とする請求項１に記載の伝送装置。
【請求項３】
前記信号処理回路は、前記局発光の発振波長を前記期待波長から変更した後に、前記検波によって得られた前記検波信号を変換した前記電気信号を信号処理することができた場合には、前記ＬＯＳ信号の出力を停止することを特徴とする請求項１に記載の伝送装置。
【請求項４】
局発光を発振する発振器と、
所望の入力信号光を受信するように前記局発光の発振波長を制御する制御器と、
前記局発光と入力信号光を混合して検波すると共に、前記入力信号光を受光することができない場合にＬＯＬ（Loss of Light）信号を出力するコヒーレント受信器と、
前記検波によって得られた検波信号が変換された電気信号を信号処理すると共に、前記電気信号を信号処理することができない場合にＬＯＳ（Loss of Signal）信号を出力する信号処理回路と
を備える伝送装置を制御する制御装置であって、
前記局発光の発振波長を制御することにより前記コヒーレント受信器が検波した前記入力信号光の波長が期待波長ではない場合に、信号線の誤接続を判定する判定装置を備え、
前記制御器は、前記ＬＯＬ信号が検出されず且つ前記ＬＯＳ信号が検出された場合に、前記局発光の発振波長を制御することを特徴とする制御装置。
【請求項５】
局発光を発振する発振器と、
所望の入力信号光を受信するように前記局発光の発振波長を制御する制御器と、
前記局発光と入力信号光を混合して検波すると共に、前記入力信号光を受光することができない場合にＬＯＬ（Loss of Light）信号を出力するコヒーレント受信器と、
前記検波によって得られた検波信号が変換された電気信号を信号処理すると共に、前記電気信号を信号処理することができない場合にＬＯＳ（Loss of Signal）信号を出力する信号処理回路と
を備える伝送装置における信号線の誤接続検出方法であって、
前記制御器によって前記局発光の発振波長を制御することにより、前記コヒーレント受信器によって前記局発光及び前記入力信号光を混合して検波する検波工程と、
前記局発光の発振波長を制御することにより前記コヒーレント受信器が検波した前記入力信号光の波長が期待波長ではない場合に、信号線の誤接続を判定する判定工程と
を備え、
前記制御器は、前記ＬＯＬ信号が検出されず且つ前記ＬＯＳ信号が検出された場合に、前記局発光の発振波長を制御することを特徴とする誤接続検出方法。
【発明の詳細な説明】
【技術分野】
【０００１】
本発明は、例えば光信号の送信や受信を行う伝送装置、伝送装置を制御する制御装置及び伝送装置における信号線の誤接続検出方法に関する。
【背景技術】
【０００２】
近年、光ネットワークの分野において、大容量のデータを高速に伝送させるために、異なる波長を波長分割多重することで大容量光伝送を可能とするＷＤＭ（Wave Division Multiplex：波長分割多重）技術が用いられている。このようなＷＤＭ技術では、任意の波長の光信号をＷＤＭ信号群に挿入（ＡＤＤ：アッド）すると共に、当該ＷＤＭ信号群から任意の波長の光信号を分岐（ＤＲＯＰ：ドロップ）して受信するＯＡＤＭ（Optical Add Drop Multiplexer：光分岐挿入装置）が用いられることが多い。
【０００３】
ＯＡＤＭを使用した光ネットワークでは、新たな波長の光信号をＷＤＭ信号群に増設する際に、当該光信号が正常に伝送されない事態が起こり得る。このような事態の原因としては、伝送距離依存による光特性の劣化や、ＷＤＭ信号を伝送するために使用される光ファイバの分散特性や、光ネットワークにおける波長ルートの設定ミスや、光ファイバの誤接続等が一例としてあげられる。
【０００４】
これらの原因のうちの光ファイバの誤接続の検出は、例えば以下のように行われる。具体的には、光ファイバの誤接続が発生している時には、ＯＡＤＭが備えるポート（言い換えれば、光コネクタ）には本来入力されるべき波長とは異なる波長の光信号が入力される。従って、ＬＯＬ（Loss of Light）信号が検出されることはない。続いて、ＯＡＤＭでは、ＷＤＭ信号群に収容される全ての波長の信号を受信できるように、ワイドバンド仕様の光受信器（例えば、Ｏ／Ｅ（Optical Electronic Convertor））が使用されることが多い。このため、波長が異なる光信号を受信した場合であっても、当該光信号を正常に受信すると共に電気信号に変換することができる。従って、ＬＯＳ（Loss of Signal）信号が検出されることはない。このため、誤接続の検出は、受信した光信号から変換された電気信号が示すフレームを解析することで行われる。例えば、ＯＴＮ（Optical Transport Network）に準拠したＯＡＤＭであれば、フレーム中のＴＴＩ（Trail Trace Identifier）情報に含まれる光信号の送信元（ＳＡＰＩ：Source Access Point Identifier）や送信先（ＤＡＰＩ：Destination Access Point Identifier）を参照することで、光ファイバの誤接続が検出される。
【先行技術文献】
【特許文献】
【０００５】
【特許文献１】特開２００１−３５８６５７号公報
【特許文献２】特開２００２−４４０３５号公報
【発明の概要】
【発明が解決しようとする課題】
【０００６】
一方で、光ネットワークでは、更なる回線容量の増大化が望まれている。このような光ネットワークの回線容量の増大化を実現するための手法として、光コヒーレント受信器の導入が一候補として考えられる。例えば、光コヒーレント受信器は、受信するべき光信号の波長と当該光信号に混合すべき局発光の波長とがほぼ同一となる（例えば、両者の誤差が±２．５ＧＨｚ程度になる）イントラダイン検波方式を利用することで、光信号を受信する。或いは、例えば、光コヒーレント受信器は、受信するべき光信号の波長と当該光信号に混合すべき局発光の波長とが同一となるホモダイン検波方式を利用することで、光信号を受信する。
【０００７】
このような光コヒーレント受信器をＯＡＤＭに導入する場合には、以下に示すように、光ファイバの誤接続の検出ができなくなってしまいかねないという技術的な問題点が発生し得る。具体的には、イントラダイン検波方式の又はホモダイン検波方式の光コヒーレント受信器では、光信号の波長と局発光の波長との間の誤差が所定値以内に収まる又は光信号の波長と局発光の波長とが同一となる場合に、光信号を正常に受信することができる。一方で、光ファイバの誤接続が発生している時には、ＯＡＤＭが備えるポートには異なる波長の光信号が入力される。従って、入力されている光信号の波長と局発光の波長との間の誤差が所定値を超えてしまいかねない又は光信号の波長と局発光の波長とが異なるものとなる。この場合、光コヒーレント受信器は、光信号の入力を受けるものの当該光信号を適切に受信することができない。従って、ＬＯＳ信号が検出される。しかしながら、ＯＡＤＭは、光信号を電気信号に変換することができないがゆえに、フレーム内のＴＴＩ情報等を参照することができない。このため、ＯＡＤＭは、検出されたＬＯＳ信号が、光ファイバの誤接続に起因しているのか又はその他の現象に起因しているのかを判別することができない。つまり、ＯＡＤＭは、光ファイバの誤接続を適切に検出することができなくなってしまいかねない。
【０００８】
本発明が解決しようとする課題には上記のようなものが一例として挙げられる。本発明は、例えば光コヒーレント受信器を用いる場合に信号線の誤接続を好適に検出することが可能な伝送装置及び制御装置並びに信号線の誤接続検出方法を提供することを目的とする。
【課題を解決するための手段】
【０００９】
上記課題は、発振器と、制御器と、コヒーレント受信器と、判定装置とを備える伝送装置によって解決され得る。発振器は、局発光を発振する。制御器は、所望の入力信号光を受信するように局発光の発振波長を制御する。コヒーレント受信器は、局発光を受光する。コヒーレント受信器は、更に、入力信号光を受光する。コヒーレント受信器は、更に、局発光及び入力信号光を混合して検波する。判定装置は、局発光の発振波長を制御することによりコヒーレント受信器が検波した入力信号光の波長が期待波長ではない場合に、信号線（例えば、入力信号光が入力される信号線又は伝送装置に接続されている信号線）の誤接続を判定する。
【００１０】
上記課題は、上述した発振器と、上述した制御器と、上述したコヒーレント受信器とを備える伝送装置を制御する制御装置であって、上述した判定装置を備える制御装置によって解決され得る。
【００１１】
上記課題は、上述した発振器と、上述した制御器と、上述したコヒーレント受信器とを備える伝送装置における信号線の誤接続検出方法であって、検波工程と、判定工程とを備える誤接続検出方法によって解決され得る。検波工程では、制御器によって局発光の発振波長が制御されながら、コヒーレント受信器によって局発光及び入力信号光が混合されて検波される。判定工程では、局発光の発振波長を制御しながらコヒーレント受信器が検波した入力信号光の波長が期待波長ではない場合に、信号線の誤接続が判定される。
【発明の効果】
【００１２】
以上説明した伝送装置及び制御方法、並びに信号線の誤接続検出方法によれば、光コヒーレント受信器を用いる伝送装置であっても、信号線の誤接続を好適に検出することができる。
【図面の簡単な説明】
【００１３】
【図１】本実施形態の伝送システムの構成を示すブロック図である。
【図２】本実施形態のＯＡＤＭの構成を示すブロック図である。
【図３】本実施形態のＯＡＤＭトランスポンダユニットの構成を示すブロック図である。
【図４】入出力レジスタに格納される各種パラメータを、当該各種パラメータを参照する処理部と関連付けて示す模式図である。
【図５】ＯＡＤＭの初期設定動作の流れを示すフローチャートである。
【図６】ＯＡＤＭの装置内光ファイバの誤接続検出動作の一部の流れを示すフローチャートである。
【図７】ＯＡＤＭの装置内光ファイバの誤接続検出動作の他の一部の流れを示すフローチャートである。
【図８】期待波長、局発光の波長及び実際に受光している光信号の波長を、光受信器の特性と関連付けて示すグラフである。
【図９】第１変形例のＯＡＤＭの構成を示すブロック図である。
【図１０】第２変形例のＯＡＤＭトランスポンダユニットの構成を示すブロック図である。
【図１１】第３変形例のＯＡＤＭトランスポンダユニットの構成を示すブロック図である。
【図１２】第４変形例のＯＡＤＭの構成を示すブロック図である。
【図１３】第５変形例のＯＡＤＭの構成を示すブロック図である。
【発明を実施するための形態】
【００１４】
以下、本発明を実施するための形態を、図面に基づいて説明する。
【００１５】
（１）構成
図１から図３を参照して、本実施形態の伝送システムの構成について説明する。
【００１６】
（１−１）伝送システムの構成
図１を参照して、本実施形態の伝送システム１の構成について説明する。図１は、本実施形態の伝送システム１の構成を示すブロック図である。
【００１７】
図１に示すように、伝送システム１は、ＯＡＤＭ（Optical Add Drop Multiplexer：光分岐挿入装置）２（＃１）と、ＯＡＤＭ２（＃２）と、ＯＡＤＭ２（＃３）と、ＯＡＤＭ２（＃４）とを備えている。ＯＡＤＭ２（＃１）と、ＯＡＤＭ２（＃２）と、ＯＡＤＭ２（＃３）と、ＯＡＤＭ２（＃４）とは、例えば双方向の光ファイバを含むリングネットワーク８によって相互に接続されている。尚、ＯＡＤＭ２（＃１）と、ＯＡＤＭ２（＃２）と、ＯＡＤＭ２（＃３）と、ＯＡＤＭ２（＃４）とは、夫々「伝送装置」の一具体例となる。尚、以下では、ＯＡＤＭ２（＃１）と、ＯＡＤＭ２（＃２）と、ＯＡＤＭ２（＃３）と、ＯＡＤＭ２（＃４）とを区別しない場合には、“ＯＡＤＭ２”と称して説明を進める。
【００１８】
ＯＡＤＭ２（＃１）には、例えばサービス信号の伝送元となるサーバ装置６が接続されている。従って、ＯＡＤＭ２（＃１）は、サーバ装置６から出力されるサービス信号を光信号に変換した後、当該光信号を、リングネットワーク８を介して伝送されているＷＤＭ信号群に挿入する。より具体的には、ＯＡＤＭ２（＃１）は、サーバ装置６から出力されるサービス信号を１波長分（１チャンネル分）又は数波長分（数チャンネル分）の光信号に変換した後、当該１波長分の光信号を、リングネットワーク８を介して伝送されている数十波長分（数十チャンネル分）のＷＤＭ信号群に挿入する。尚、ＷＤＭ信号群には、１波長単位毎に同一の伝送容量を有する光信号が含まれていてもよいし、１波長単位毎に異なる伝送容量を有する光信号が含まれていてもよい。尚、伝送容量の一例としては、例えば、２．５Ｇの伝送容量や、１０Ｇの伝送容量や、４０Ｇの伝送容量等があげられる。また、サービス信号の一例としては、例えばＳＯＮＥＴ／ＳＤＨ信号（例えば、ＯＣ３、ＯＣ１２、ＯＣ４８、ＯＣ１９２、ＳＴＭ１、ＳＴＭ４、ＳＴＭ１６、ＳＴＭ６４）や、パケット信号（例えば、１００ＭｂＥ、１ＧｂＥ、１０ＧｂＥ）等があげられる。
【００１９】
ＯＡＤＭ２（＃２）には、例えばサービス信号の伝送先となるクライアント装置７（＃１）が接続されている。同様に、ＯＡＤＭ２（＃３）には、例えばサービス信号の伝送先となるクライアント装置７（＃２）が接続されている。同様に、ＯＡＤＭ２（＃４）には、例えばサービス信号の伝送先となるクライアント装置７（＃３）が接続されている。従って、ＯＡＤＭ２（＃２）は、リングネットワーク８を介して伝送されているＷＤＭ信号群からクライアント装置７（＃１）に対して送信されるべきサービス信号を含む光信号を分岐すると共に、分岐した光信号をサービス信号に変換した上でクライアント装置７（＃１）に転送する。より具体的には、ＯＡＤＭ２（＃２）は、リングネットワーク８を介して伝送されている数十波長分のＷＤＭ信号群からクライアント装置７（＃１）に対して送信されるべきサービス信号を含む１波長分又は数波長分の光信号を分岐すると共に、分岐した１波長分又は数波長分の光信号をサービス信号に変換した上でクライアント装置７（＃１）に転送する。同様に、ＯＡＤＭ２（＃３）は、リングネットワーク８を介して伝送されているＷＤＭ信号群からクライアント装置７（＃２）に対して送信されるべきサービス信号を含む光信号を分岐すると共に、分岐した光信号をサービス信号に変換した上でクライアント装置７（＃２）に転送する。より具体的には、ＯＡＤＭ２（＃３）は、リングネットワーク８を介して伝送されている数十波長分のＷＤＭ信号群からクライアント装置７（＃２）に対して送信されるべきサービス信号を含む１波長分又は数波長分の光信号を分岐すると共に、分岐した１波長分又は数波長分の光信号をサービス信号に変換した上でクライアント装置７（＃２）に転送する。ＯＡＤＭ２（＃４）は、リングネットワーク８を介して伝送されているＷＤＭ信号群からクライアント装置７（＃３）に対して送信されるべきサービス信号を含む光信号を分岐すると共に、分岐した光信号をサービス信号に変換した上でクライアント装置７（＃３）に転送する。より具体的には、ＯＡＤＭ２（＃４）は、リングネットワーク８を介して伝送されている数十波長分のＷＤＭ信号群からクライアント装置７（＃３）に対して送信されるべきサービス信号を含む１波長分又は数波長分の光信号を分岐すると共に、分岐した１波長分又は数波長分の光信号をサービス信号に変換した上でクライアント装置７（＃３）に転送する。
【００２０】
但し、サーバ装置６がサービス信号の伝送先となってもよいし、クライアント装置７（＃１）、クライアント装置７（＃２）及びクライアント装置７（＃３）の少なくとも１つがサービス信号の伝送元となってもよい。
【００２１】
（１−２）ＯＡＤＭの構成
図２を参照して、本実施形態の伝送システム１が備えるＯＡＤＭ２の構成について説明する。図２は、ＯＡＤＭ２の構成を示すブロック図である。
【００２２】
図２に示すように、ＯＡＤＭ２は、ＯＡＤＭコア装置３と、装置内光ファイバインタフェース４１と、「信号線」の一例である装置内光ファイバ４２及び４３（具体的には、コア側装置内光ファイバ４２及びトランスポンダ側装置内光ファイバ４３）と、ＯＡＤＭトランスポンダ装置５とを備えている。
【００２３】
ＯＡＤＭコア装置３は、装置内光ファイバインタフェース４１並びに装置内光ファイバ４２及び４３を介してＯＡＤＭトランスポンダ装置５から転送される１波長分又は数波長分の光信号を、リングネットワーク８を介して伝送されている数十波長分のＷＤＭ信号群に挿入する。加えて、ＯＡＤＭコア装置３は、リングネットワーク８を介して伝送されている数十波長分のＷＤＭ信号群からＯＡＤＭトランスポンダ装置５に対して転送されるべき１波長分又は数波長分の光信号を分岐する。更に、ＯＡＤＭコア装置３は、分岐した１波長分又は数波長分の光信号を、装置内光ファイバインタフェース４１並びに装置内光ファイバ４２及び４３を介してＯＡＤＭトランスポンダ装置５に転送する。
【００２４】
このような機能を実現するために、ＯＡＤＭコア装置３は、ウエスト側光入力ポート３１１と、ウエスト側受信アンプ３１２と、ウエスト側フォトカプラ３１３と、イースト側合波用ＷＳＳ（Wave Selectable Switch：波長選択スイッチ）３１４と、イースト側送信アンプ３１５と、イースト側光出力ポート３１６と、イースト側光入力ポート３２１と、イースト側受信アンプ３２２と、イースト側フォトカプラ３２３と、ウエスト側合波用ＷＳＳ３２４と、ウエスト側送信アンプ３２５と、ウエスト側光出力ポート３２６と、ウエスト側波長分離部ＷＳＳ３３１と、イースト側波長多重部ＷＳＳ３３２と、ウエスト側波長多重部ＷＳＳ３３３と、イースト側波長分離部ＷＳＳ３３４と、複数のコア側光出力ポート３４と、複数のコア側光入力ポート３５とを備えている。
【００２５】
リングネットワーク８のウエスト側回線（ウエスト側光ファイバ）からＯＡＤＭコア装置３に入力されるＷＤＭ信号群は、ウエスト側光入力ポート３１１に入力され且つウエスト側受信アンプ３１２にて増幅される。ウエスト側受信アンプ３１２にて増幅されたＷＤＭ信号群は、ウエスト側フォトカプラ３１３で分岐された後、イースト側合波用ＷＳＳ３１４及びウエスト側波長分離部ＷＳＳ３３１に入力される。イースト側合波用ＷＳＳ３１４では、ＷＤＭ信号群に対して、イースト側波長多重部ＷＳＳ３３２から出力される１波長分又は数波長分の光信号が合成される。尚、イースト側波長多重部ＷＳＳ３３２は、装置内光ファイバインタフェース４１並びに装置内光ファイバ４２及び４３を介してＯＡＤＭトランスポンダ装置５からコア側光入力ポート３５に入力される数波長分の光信号を多重化する。その後、ＷＤＭ信号群は、イースト側送信アンプ３１５にて増幅された後、イースト側光出力ポート３１６を介してリングネットワーク８のイースト側回線（イースト側光ファイバ）へと出力される。一方で、ウエスト側波長分離部ＷＳＳ３３１では、ＷＤＭ信号群から、所望の１波長分又は数波長分の光信号を波長ごとに分離する。ウエスト側波長分離部ＷＳＳ３３１は、波長毎に分離された１波長分の又は数波長分の光信号を、コア側光出力ポート３４及び装置内光ファイバインタフェース４１並びに装置内光ファイバ４２及び４３を介して、ＯＡＤＭトランスポンダ装置５へと転送する。
【００２６】
同様に、リングネットワーク８のイースト側回線からＯＡＤＭコア装置３に入力されるＷＤＭ信号群は、イースト側光入力ポート３２１に入力され且つイースト側受信アンプ３２２にて増幅される。イースト側受信アンプ３２２にて増幅されたＷＤＭ信号群は、イースト側フォトカプラ３２３で分岐された後、ウエスト側合波用ＷＳＳ３２４及びイースト側波長分離部ＷＳＳ３３４に入力される。ウエスト側合波用ＷＳＳ３２４では、ＷＤＭ信号群に対して、ウエスト側波長多重部ＷＳＳ３３３から出力される１波長分又は数波長分の光信号が合成される。尚、ウエスト側波長多重部ＷＳＳ３３３は、装置内光ファイバインタフェース４１並びに装置内光ファイバ４２及び４３を介してＯＡＤＭトランスポンダ装置５からコア側光入力ポート３５に入力される数波長分の光信号を多重化する。その後、ＷＤＭ信号群は、ウエスト側送信アンプ３２５にて増幅された後、ウエスト側光出力ポート３２６を介してリングネットワーク８のウエスト側回線へと出力される。一方で、イースト側波長分離部ＷＳＳ３３４では、ＷＤＭ信号群から、所望の１波長分又は数波長分の光信号を波長ごとに分離する。イースト側波長分離部ＷＳＳ３３４は、波長毎に分離された１波長分の又は数波長分の光信号を、コア側光出力ポート３４及び装置内光ファイバインタフェース４１並びに装置内光ファイバ４２及び４３を介して、ＯＡＤＭトランスポンダ装置５へと転送する。
【００２７】
ＯＡＤＭトランスポンダ装置５は、装置内光ファイバインタフェース４１並びに装置内光ファイバ４２及び４３を介してＯＡＤＭコア装置３から転送される１波長分又は数波長分の光信号（「入力信号光」の一例）をサービス信号に変換すると共に、サービス信号をクライアント装置７又はサーバ装置６へと転送する。加えて、ＯＡＤＭトランスポンダ装置５は、サーバ装置６又はクライアント装置７から送信されるサービス信号を光信号に変換すると共に、光信号を、装置内光ファイバインタフェース４を介してＯＡＤＭコア装置３に転送する。
【００２８】
このような機能を実現するために、ＯＡＤＭトランスポンダ装置５は、複数のＯＡＤＭトランスポンダシェルフ５１を備えている。各ＯＡＤＭトランスポンダシェルフ５２は、複数のＯＡＤＭトランスポンダユニット５２と、トランスポンダ側集中制御部５３とを備えている。
【００２９】
各ＯＡＤＭトランスポンダユニット５２は、トランスポンダ側光入力ポート５２１と、トランスポンダ側光出力ポート５２２とを備えている。トランスポンダ側光入力ポート５２１には、装置内光ファイバインタフェース４１並びに装置内光ファイバ４２及び４３を介してＯＡＤＭコア装置３から転送される光信号が入力される。トランスポンダ側光出力ポート５２２からは、装置内光ファイバインタフェース４１並びに装置内光ファイバ４２及び４３を介してＯＡＤＭコア装置３へと転送される光信号が出力される。トランスポンダ側光入力ポート５２１からＯＡＤＭトランスポンダユニット５２に入力される光信号は、ＯＡＤＭトランスポンダユニット５２内でサービス信号に変換された後に、クライアント装置７又はサーバ装置６へと転送される。一方で、サーバ装置６又はクライアント装置７からＯＡＤＭトランスポンダユニット５２に入力されるサービス信号は、ＯＡＤＭトランスポンダユニット５２内で光信号に変換された後に、トランスポンダ側光出力ポート５２２から出力される。
【００３０】
トランスポンダ側集中制御部５３は、複数のＯＡＤＭトランスポンダユニット５２の動作を制御する。加えて、トランスポンダ側集中制御部５３は、「判定装置」の一具体例であり、装置内光ファイバ４２及び４３の誤接続を判定する。より具体的には、トランスポンダ側集中制御部５３は、装置内光ファイバ４２及び４３の誤接続が発生しているか否かを判定する。さらに、トランスポンダ側集中制御部５３は、判定結果を例えばＯＡＤＭ２のオペレータ等に対して通知してもよい。尚、誤接続の判定動作については後に詳述する（図５から図７参照）ため、ここでの詳細な説明については省略する。
【００３１】
尚、コア側光出力ポート３４、装置内光ファイバインタフェース４１のコア側光ポート及びトランスポンダ側光ポート、装置内光ファイバ４２及び４３並びにトランスポンダ側光入力ポート５２１には、ＯＡＤＭコア装置３からＯＡＤＭトランスポンダ装置５へと転送される光信号が１波長毎に個別に割り当てられることが好ましい。つまり、１つの波長の光信号は、特定の１つのコア側光出力ポート３４、特定の１つのコア側装置内光ファイバ４２、装置内光ファイバインタフェース４１の特定の１つのコア側光ポート、装置内光ファイバインタフェース４１の特定の１つのトランスポンダ側光ポート、特定の１つのトランスポンダ側装置内光ファイバ４３及び特定の１つのトランスポンダ側光入力ポート５２１を介して、ＯＡＤＭコア装置３からＯＡＤＭトランスポンダ装置５へと転送されることが好ましい。尚、コア側光出力ポート３４、装置内光ファイバインタフェース４１の光入力ポート及び光出力ポート、装置内光ファイバ４２及び４３並びにトランスポンダ側光入力ポート５２１と光信号の波長との対応付け（言い換えれば、設定）は、例えばＯＡＤＭ２のオペレータ等によって行われる。
【００３２】
同様に、コア側光入力ポート３５、装置内光ファイバインタフェース４１のコア側光ポート及びトランスポンダ側光ポート、装置内光ファイバ４２及び４３並びにトランスポンダ側光出力ポート５２２は、ＯＡＤＭトランスポンダ装置５からＯＡＤＭコア装置３へと転送される光信号が１波長毎に個別に割り当てられることが好ましい。つまり、１つの波長の光信号は、特定の１つのトランスポンダ側光出力ポート５２２、特定の１つのトランスポンダ側装置内光ファイバ４３、装置内光ファイバインタフェース４１の特定の１つのトランスポンダ側光ポート、装置内光ファイバインタフェース４１の特定の１つのコア側光ポート、特定の１つのコア側装置内光ファイバ４２及び特定の１つのコア側光入力ポート３５を介して、ＯＡＤＭトランスポンダ装置５からＯＡＤＭコア装置３へと転送されることが好ましい。尚、コア側光入力ポート３５、装置内光ファイバインタフェース４１のコア側光ポート及びトランスポンダ側光ポート、装置内光ファイバ４２及び４３並びにトランスポンダ側光出力ポート５２２と光信号の波長との対応付け（言い換えれば、設定）は、例えばＯＡＤＭ２のオペレータ等によって行われる。
【００３３】
（１−３）ＯＡＤＭトランスポンダユニットの構成
図３を参照して、ＯＡＤＭトランスポンダユニット５２の構成について説明する。図３は、ＯＡＤＭトランスポンダユニット５２の構成を示すブロック図である。
【００３４】
図３に示すように、ＯＡＤＭトランスポンダユニット５２は、上述したトランスポンダ側光入力ポート５２１と、上述したトランスポンダ側光出力ポート５２２と、光送受信器５２３と、波長設定器５２４と、局発光制御器５２５と、入出力レジスタ５２６と、フレーマＬＳＩ５２７と、ＸＦＰ５２８と、ＸＦＰ５２９とを備えている。
【００３５】
光送受信器５２３は、光受信器５２３１と、光発振器５２３２と、光送信器５２３３とを備えている。
【００３６】
光受信器５２３１は、トランスポンダ側光入力ポート５２１を介してＯＡＤＭコア装置３から転送される光信号を受信（つまり、受光）する。本実施例では、光受信器５２３１は、イントラダイン検波方式を採用する光コヒーレント受信器であることが好ましい。なお、イントラダイン検波方式であっても、局発光が安定に動作すればホモダイン検波方式でもよい。したがって、本実施例にかかるイントラダイン検波方式はホモダイン検波方式を含むものとする。このため、光受信器５２３１は、トランスポンダ側光入力ポート５２１から入力される光信号及び光発振器５２３２から入力される局発光（Local Optical Laser）を混合することで合成光信号を生成する９０°ハイブリッド回路と、合成光信号を正相成分及び逆相成分（或いは、実部成分及び虚部成分）に分離するバランスドレシーバ等を含んでいることが好ましい。また、光受信器５２３１は、受信した光信号（つまり、合成光信号の正相成分及び逆相成分）を電気信号であるサービス信号に変換する。このため、光受信器５２３１は、Ｏ／Ｅ（Optical Electronic Convertor：光電コンバータ）を含んでいることが好ましい。変換されたサービス信号は、フレーマＬＳＩ５２７（具体的には、フレーマＬＳＩ５２７が備えるＦＥＣ部５２７１）に転送される。
【００３７】
光発振器５２３２は、「発振器」の一例であって、上述したように、局発光を発振する。尚、局発光の波長は、波長設定器５２４によって設定される。
【００３８】
光送信器５２３３は、フレーマＬＳＩ５２７（具体的には、フレーマＬＳＩ５２７が備えるＦＥＣ部５２７３）から転送されるサービス信号を、当該サービス信号に対応する波長の光信号に変換する。このため、光送信器５２３３は、ＦＢＴＬ（Full Band Tunable Laser：フルバンド可変波長レーザ）等を備えていることが好ましい。変換された光信号は、トランスポンダ側光出力ポート５２２を介してＯＡＤＭコア装置３へと転送される。
【００３９】
波長設定器５２４は、光発振器５２３２が発振する局発光の波長を設定する。尚、波長設定器５２４は、局発光制御器５２５の制御の下に、局発光の波長を設定する。
【００４０】
局発光制御器５２５は、「制御器」の一例であって、波長設定器５２４による局発光の波長の設定動作を制御する。つまり、局発光制御器５２５は、局発光の波長を制御する。具体的には、局発光制御部５２５は、波長設定器５２４が設定する局発光の波長が所望の波長となるように（言い換えれば、局発光の波長を所望の波長に変更するように）波長設定器５２４の動作を制御する。通常は、局発光制御器５２５は、波長設定器５２４が設定する局発光の波長が、ＯＡＤＭトランスポンダユニット５２が受信するべき光信号の波長である期待波長とほぼ同一となる（例えば、誤差が±２．５ＧＨｚ程度となる）ように波長設定器５２４の動作を制御する。或いは、本実施形態のイントラダイン検波方式が包含しているホモダイン検波方式を採用する場合には、局発光制御器５２５は、波長設定器５２４が設定する局発光の波長が、ＯＡＤＭトランスポンダユニット５２が受信するべき光信号の波長である期待波長と同一となるように波長設定器５２４の動作を制御してもよい。一方で、後に詳述するように（図７から図９参照）、局発光制御器５２５は、期待波長とほぼ同一の波長の局発光を発振しているにも関わらずＬＯＳ（Loss of Signal）信号が検出される場合には、波長設定器５２４が設定する局発光の波長が期待波長とは異なる他の波長となるように波長設定器５２４の動作を制御する。
【００４１】
入出力レジスタ５２６は、ＯＡＤＭ２内で使用される各種パラメータを格納するレジスタである。ここで、図４を参照して、入出力レジスタ５２６に格納される各種パラメータについて説明する。図４は、入出力レジスタ５２６に格納される各種パラメータを、当該各種パラメータを参照する処理部と関連付けて示す模式図である。
【００４２】
図４に示すように、入出力レジスタ５２６には、期待波長情報と、局発光立上時間値情報と、ＡＬＭ（Alarm）情報と、接続不可波長情報と、局発光波長履歴情報と、受信光波長情報とが格納される。尚、入出力レジスタ５２６に格納されるこれらの情報は、ＯＡＤＭトランスポンダ装置５内のシリアルバス回線を介してトランスポンダ側集中制御部５３によって取得されてもよいし格納されてもよい。更に、入出力レジスタ５２６に格納されるこれらの情報は、トランスポンダ側集中制御部５３及びＯＡＤＭ２内のＬＡＮ回線を介してコア側集中制御部３５によって取得されてもよいし格納されてもよい。つまり、これらの情報は、ＯＡＤＭトランスポンダユニット５２、トランスポンダ側集中制御部５３及びコア側集中制御部３５の夫々によって逐次更新されると共に、逐次更新された最新の情報が入出力レジスタ５２６に格納されていることが好ましい。
【００４３】
期待波長情報は、ＯＡＤＭトランスポンダユニット５２が受信するべき光信号の波長である期待波長を示す情報を含んでいる。つまり、期待波長情報は、装置内光ファイバインタフェース４１並びに装置内光ファイバ４２及び４３を介して、ＯＡＤＭコア装置３からＯＡＤＭトランスポンダユニット５２に対して送信されるべき光信号の波長（期待波長）を示す情報を含んでいる。
【００４４】
局発光立上時間値情報は、光発振器５２３２が局発光の発振を開始してから当該局発光の発振が安定するまでに要する時間を示す情報を含んでいる。言い換えれば、局発光立上時間値情報は、光発振器５２３２が局発光の発振を開始し且つ光受信器５２３１が光信号及び局発光の受信を開始してから光受信器５２３１によるイントラダイン検波が正常に行われるようになるまでに要する時間を示す情報を含んでいる。
【００４５】
ＡＬＭ情報は、ＬＯＬ（Loss of Light）信号やＬＯＳ信号を含むアラーム信号が検出されているか否かを示す情報を含んでいる。尚、ＬＯＬ信号は、例えば、光受信器５２３１が光信号そのものを受信できない（つまり、受光できない）又は光信号の受信レベル（受光レベル）が劣化している場合に検出されるアラーム信号である。従って、ＬＯＬ信号は、図３の点線で示すように、光受信器５２３１から入出力レジスタ５２６に対して格納される。尚、ＬＯＬ信号は、局発光制御器５２５にも入力されてもよい。この場合、ＬＯＬ信号は、局発光制御器５２５の動作によって入出力レジスタ５２６に格納されてもよい。ＬＯＳ信号は、例えば、光信号から変換されたサービス信号をフレーマＬＳＩが信号処理することができない場合に検出される信号である。具体的には、例えば、ＬＯＳ信号は、ＦＥＣ部５２７１によるサービス信号のエラー訂正処理ができない場合や、ＯＸＵ部５２７２によるサービス信号のフレーミング処理ができない場合に検出される信号である。従って、ＬＯＳ信号は、図３の点線で示すように、フレーマＬＳＩ５２７（例えば、ＦＥＣ部５２７１やＯＸＵ部５２７２）から入出力レジスタ５２６に対して格納される。尚、ＬＯＳ信号は、局発光制御器５２５にも入力されてもよい。この場合、ＬＯＳ信号は、局発光制御器５２５の動作によって入出力レジスタ５２６に格納されてもよい。
【００４６】
接続不可波長情報は、ＯＡＤＭトランスポンダ装置５が備える複数のＯＡＤＭトランスポンダユニット５２のいずれにおいても受信されていない光信号の波長を示す情報を含んでいる。従って、ＯＡＤＭトランスポンダ装置５が備える複数のＯＡＤＭトランスポンダユニット５２のいずれか１つによって所定の波長の光信号が受信された時点で、当該所定の波長を示す情報は、接続不可波長情報に含まれなくなる。
【００４７】
局発光波長履歴情報は、光発振器５２３２が発振した局発光の波長の履歴を示す情報を含んでいる。
【００４８】
受信光波長情報は、ＯＡＤＭトランスポンダユニット５２が受信した光信号の波長を示す情報を含んでいる。従って、ＯＡＤＭトランスポンダユニット５２が光信号を受信していない時点では、受信光波長情報には、光信号の波長を示す情報が含まれていなくともよいし、ダミー情報又はＮＵＬＬ情報が含まれていてもよい。
【００４９】
再び図３において、フレーマＬＳＩ５２７は、ＦＥＣ（Forward Error Correction）部５２７１と、ＯＸＵ部５２７２と、ＦＥＣ部５２７３と、ＯＸＵ部５２７４とを備えている。
【００５０】
ＦＥＣ部５２７１は、光受信器５２３１から転送されるサービス信号のエラー訂正処理（例えば、エラー訂正符号の付加処理や、エラー訂正符号を用いた訂正処理等）を行う。ＦＥＣ部５２７１は、エラー訂正処理を行ったサービス信号を、ＯＸＵ部５２７２へと転送する。
【００５１】
ＯＸＵ部５２７２は、ＦＥＣ部５２７１から転送されるサービス信号のフレーミング処理を行う。例えば、ＯＡＤＭ２がＯＴＮ（Optical Transport Network）に準拠している場合には、ＯＸＵ部５２７２は、サービス信号を、ＯＰＵ（Optical channel Payload Unit）やＯＤＵ（Optical channel Data Unit）やＯＴＵ（Optical channel Transport Unit）等のフレームに準拠したサービス信号に変換する。ＯＸＵ部５２７２は、フレーミング処理を行ったサービス信号を、ＸＦＰ５２８へと転送する。
【００５２】
ＦＥＣ部５２７３は、ＯＸＵ部５２７４から転送されるサービス信号のエラー訂正処理を行う。ＦＥＣ部５２７３は、エラー訂正処理を行ったサービス信号を、光送信器５２３３へと転送する。
【００５３】
ＯＸＵ部５２７４は、ＸＦＰ５２９から転送されるサービス信号のデフレーミング処理を行う。例えば、ＯＡＤＭ２がＯＴＮに準拠している場合には、ＯＸＵ部５２７４は、ＯＰＵやＯＤＵやＯＴＵ等のフレームに準拠したサービス信号のデフレーミング処理を行う。ＯＸＵ部５２７４は、デフレーミング処理を行ったサービス信号を、ＦＥＣ部５２７３へと転送する。
【００５４】
ＸＦＰ５２８は、ＯＸＵ部５２７２はから転送されるサービス信号を、光信号としてクライアント装置７又はサーバ装置６へと転送する。
【００５５】
ＸＦＰ５２９は、サーバ装置６又はクライアント装置７から光信号として転送されるサービス信号を受信すると共に、当該受信したサービス信号をＯＸＵ部５２７４へと転送する。
【００５６】
（２）ＯＡＤＭの動作
図５から図９を参照して、ＯＡＤＭ２の動作について説明する。
【００５７】
（２−１）初期設定動作
図５を参照して、ＯＡＤＭ２の初期設定動作について説明する。図５は、ＯＡＤＭ２の初期設定動作の流れを示すフローチャートである。
【００５８】
図５に示すように、トランスポンダ側集中制御部５３は、当該トランスポンダ側集中制御部５３が制御する複数のＯＡＤＭトランスポンダユニット５２に対して分岐（ドロップ）される光信号の波長に関する情報を取得する（ステップＳ１０１）。尚、ＷＤＭ信号群に含まれる数十波長分の光信号の夫々がいずれのポートを介していずれのＯＡＤＭトランスポンダユニット５２に分岐されるかという情報は、コア側集中制御部３５によって集中的に管理されていることが好ましい。従って、トランスポンダ側集中制御部５３は、分岐（ドロップ）される光信号の波長に関する情報を、コア側集中制御部３５から取得することが好ましい。
【００５９】
続いて、トランスポンダ側集中制御部５３は、ステップＳ１０１において取得した情報に基づいて、ＯＡＤＭトランスポンダユニット５２毎に、各ＯＡＤＭトランスポンダユニット５２が受信するべき光信号の波長である期待波長を設定する（ステップＳ１０２）。トランスポンダ側集中制御部５３は、設定した期待波長を、シリアルバス回線を介して各ＯＡＤＭトランスポンダユニット５２の入出力レジスタ５２６に転送する。
【００６０】
各ＯＡＤＭトランスポンダユニット５２は、トランスポンダ側集中制御部５３により設定された期待波長を、期待波長情報として入出力レジスタ５２６に格納する（ステップＳ２０１）。その後、局発光制御器５２５は、波長設定器５２４が設定する局発光の波長が入出力レジスタ５２６に格納されている期待波長とほぼ同一となる（例えば、誤差が±２．５ＧＨｚ程度となる）ように、波長設定器５２４の動作を制御する（ステップＳ２０２）。その結果、光発振器５２３２は、期待波長とほぼ同一となる波長を有する局発光を発振する。加えて、局発光制御器５２５は、光発振器５２３２が発振した局発光の波長を、入出力レジスタ５２６中の局発光波長履歴情報に登録する（ステップＳ２０３）。
【００６１】
その後、局発光制御器５２５は、入出力レジスタ５２６に格納されている局発光立上時間値情報が示す時間だけ待機する（ステップＳ２０４）。待機後、局発光制御器５２５は、ＡＬＭ情報の有無を判定する。つまり、局発光制御器５２５は、ＬＯＬ信号やＬＯＳ信号が検出されているか否かを判定する。加えて、局発光制御器５２５は、判定の結果を示すＡＬＭ情報を、入出力レジスタ５２６を介してトランスポンダ側集中制御部５３に対して通知する（ステップＳ２０５）。
【００６２】
その結果、トランスポンダ側集中制御部５３は、ＯＡＤＭトランスポンダユニット５２毎に、ＡＬＭ情報を取得する（ステップＳ１０３）。従って、トランスポンダ側集中制御部５３は、ＬＯＬ信号が検出されているか否か及びＬＯＳ信号が検出されているか否かを判定することができる。
【００６３】
尚、トランスポンダ側集中制御部５３が行う動作の一部又は全部は、コア側集中制御部３５によって行われてもよい。図６及び図７を参照して説明する以下の動作（装置内光ファイバ４２及び４３の誤接続検出動作）においても同様である。
【００６４】
（２−２）装置内光ファイバの誤接続検出動作
図６及び図７を参照して、ＯＡＤＭ２の装置内光ファイバ４２及び４３の誤接続検出動作（つまり、誤接続が発生しているか否かの判定動作）について説明する。図６は、ＯＡＤＭ２の装置内光ファイバ４２及び４３の誤接続検出動作の一部の流れを示すフローチャートである。図７は、ＯＡＤＭ２の装置内光ファイバ４２及び４３の誤接続検出動作の他の一部の流れを示すフローチャートである。尚、図６及び図７に示す誤接続検出動作は、ＯＡＤＭトランスポンダユニット５２毎に個別に行われることが好ましい。
【００６５】
図６に示すように、トランスポンダ側集中制御部５３は、図５のステップＳ１０３において取得したＡＬＭ情報に基づいて、ＬＯＬ信号及びＬＯＳ信号の少なくとも一方が検出されているか否かを判定する（ステップＳ１１１）。同様に、局発光制御器５２５は、図５のステップＳ２０５において通知したＡＬＭ情報に基づいて、ＬＯＬ信号及びＬＯＳ信号の少なくとも一方が検出されているか否かを判定する（ステップＳ２１１）。
【００６６】
ステップＳ１１１及びステップＳ２１１における判定の結果、ＬＯＬ信号及びＬＯＳ信号のいずれもが検出されていないと判定される場合には（ステップＳ１１１：Ｎｏ且つステップＳ２１１：Ｎｏ）、トランスポンダ側集中制御部５３は、ＯＡＤＭトランスポンダユニット５２に対する装置内光ファイバ４２及び４３の誤接続はないものと判定する（ステップＳ１１２）。つまり、トランスポンダ側集中制御部５３は、ＯＡＤＭトランスポンダユニット５２は、期待波長の光信号を正しく受信していると判定する（ステップＳ１１２）。従って、この場合には、局発光制御器５２５は、期待波長を受信光波長情報として入出力レジスタ５２６に登録すると共に、受信光波長情報をトランスポンダ側集中制御部５３に対して通知する（ステップＳ２１２）。トランスポンダ側集中制御部５３は、受信光波長情報を取得する（ステップＳ１１３）。その後は、通常の動作が行われる。
【００６７】
他方で、ステップＳ１１１及びステップＳ２１１における判定の結果、ＬＯＬ信号及びＬＯＳ信号の少なくとも一方が検出されていると判定される場合には（ステップＳ１１１：Ｙｅｓ且つステップＳ２１１：Ｙｅｓ）、局発光制御器５２５は、受信光波長情報の内容をリセットする（ステップＳ２１３）。その後、トランスポンダ側集中制御部５３は、ＬＯＬ信号が検出されているか否かを判定する（ステップＳ１１４）。同様に、局発光制御器５２５は、ＬＯＬ信号が検出されているか否かを判定する（ステップＳ２１４）。
【００６８】
ステップＳ１１４及びステップＳ２１４における判定の結果、ＬＯＬ信号が検出されていると判定される場合には（ステップＳ１１４：Ｙｅｓ且つステップＳ２１４：Ｙｅｓ）、トランスポンダ側集中制御部５３は、ＬＯＬ信号が検出された原因が、装置内光ファイバ４２及び４３の切断又はＯＡＤＭトランスポンダユニット５２の故障にあると推測する。従って、トランスポンダ側集中制御部５３は、装置内光ファイバ４２及び４３の切断又はＯＡＤＭトランスポンダユニット５２の故障が発生している旨を、例えばＯＡＤＭ２のオペレータに対して通知する（ステップＳ１１５）。或いは、トランスポンダ側集中制御部５３は、ＬＯＬ信号が検出された原因を更に詳細に解析すると共に、解析結果をオペレータに対して通知してもよい。
【００６９】
他方で、ステップＳ１１４及びステップＳ２１４における判定の結果、ＬＯＬ信号が検出されていないと判定される場合には（ステップＳ１１４：Ｎｏ且つステップＳ２１４：Ｎｏ）、ＬＯＳ信号の検出が装置内光ファイバ４２及び４３の誤接続を原因としている可能性があると推測される。従って、トランスポンダ側集中制御部５３及びＯＡＤＭトランスポンダユニット５２は、図７に示す動作を行う。
【００７０】
図７に示すように、局発光制御器５２５は、入出力レジスタ５２６に格納されている接続不可波長情報を取得する（ステップＳ２２１）。加えて、局発光制御器５２５は、入出力レジスタ５２６に格納されている期待波長情報及び局発光波長履歴情報を取得してもよい。その後、局発光制御器５２５は、ステップＳ２２１において取得した接続不可波長情報並びに期待波長情報及び局発光波長履歴情報に基づいて、局発光の波長として設定可能な波長が存在するか否かを判定する（ステップＳ２２２）。具体的には、局発光制御器５２５は、接続不可波長情報に、期待波長情報が示す期待波長及び局発光波長履歴情報が示す波長の夫々とは異なる他の波長が含まれているか否かを判定する。接続不可波長情報に、期待波長情報が示す期待波長及び局発光波長履歴情報が示す波長の夫々とは異なる他の波長が含まれている場合には、局発光の波長として設定可能な波長が存在すると判定される。他方で、接続不可波長情報に、期待波長情報が示す期待波長及び局発光波長履歴情報が示す波長の夫々とは異なる他の波長が含まれていない場合には、局発光の波長として設定可能な波長が存在しないと判定される。
【００７１】
ステップＳ２２２における判定の結果、局発光の波長として設定可能な波長が存在しないと判定される場合には（ステップＳ２２２：Ｎｏ）、ＯＡＤＭトランスポンダユニット５２は、装置内光ファイバ４２及び４３の誤接続検出動作を終了する。
【００７２】
他方で、ステップＳ２２２における判定の結果、局発光の波長として設定可能な波長が存在すると判定される場合には（ステップＳ２２２：Ｙｅｓ）、局発光制御器５２５は、波長設定器５２４が設定する局発光の波長が、接続不可波長情報が示す波長のうち期待波長情報が示す期待波長及び局発光波長履歴情報が示す波長の夫々とは異なる他の波長とほぼ同一となるように、波長設定器５２４の動作を制御する（ステップＳ２２３）。その結果、光発振器５２３２は、接続不可波長情報が示す波長のうち期待波長情報が示す期待波長及び局発光波長履歴情報が示す波長の夫々とは異なる他の波長とほぼ同一となる波長を有する局発光を発振する。加えて、局発光制御器５２５は、光発振器５２３２が発振した局発光の波長を、入出力レジスタ５２６中の局発光波長履歴情報に登録する（ステップＳ２２４）。
【００７３】
その後、局発光制御器５２５は、入出力レジスタ５２６に格納されている局発光立上時間値情報が示す時間だけ待機する（ステップＳ２２５）。待機後、局発光制御器５２５は、ＬＯＳ信号が検出されているか否かを判定する（ステップＳ２２６）。
【００７４】
ステップＳ２２６における判定の結果、ＬＯＳ信号が検出されていると判定される場合には（ステップＳ２２６：Ｙｅｓ）、局発光制御器５２５は、ステップＳ２２２以降の動作を繰り返す。
【００７５】
他方で、ステップＳ２２６における判定の結果、ＬＯＳ信号が検出されていないと判定される場合には（ステップＳ２２６：Ｎｏ）、期待波長情報が示す期待波長とは異なる波長の光信号をＯＤＭＡトランスポンダユニット５２が受信していると判定される。つまり、期待波長の光信号を伝送する装置内光ファイバ４２又は４３とは異なる他の装置内光ファイバ４２又は４３（つまり、期待波長とは異なる波長の光信号を伝送する他の装置内光ファイバ４２又は４３）がＯＤＭＡトランスポンダユニット５２に接続されていると判定される。従って、局発光制御器５２５は、装置内光ファイバ４２及び４３の誤接続があると判定すると共に、誤接続がある旨をトランスポンダ側集中制御部５３に対して通知する（ステップＳ２２７）。その結果、トランスポンダ側集中制御部５３は、装置内光ファイバ４２及び４３の誤接続があると判定することができる。加えて、局発光制御器５２５は、受信した光信号の波長（或いは、ＬＯＳ信号が検出されなくなった直前に設定された局発光の波長）を受信光波長情報として入出力レジスタ５２６に登録すると共に、受信光波長情報をトランスポンダ側集中制御部５３に対して通知する（ステップＳ２２８）。
【００７６】
一方で、トランスポンダ側集中制御部５３は、局発光制御器５２５から受信光波長情報が通知される都度、受信光波長情報を取得する（ステップＳ１２１）。その後、トランスポンダ側集中制御部５３は、トランスポンダ側集中制御部５３が制御する全てのＯＡＤＭトランスポンダユニット５２において受信されるべき全ての光信号の波長が、受信光波長情報として取得されたか否かを判定する（ステップＳ１２２）。つまり、トランスポンダ側集中制御部５３は、当該トランスポンダ側集中制御部５３が制御する複数のＯＡＤＭトランスポンダユニット５２に対して分岐（ドロップ）される全ての光信号の波長が、受信光波長情報として取得されたか否かを判定する（ステップＳ１２２）。
【００７７】
ステップＳ１２２における判定の結果、全ての光信号の波長が受信光波長情報として取得されていないと判定される場合には（ステップＳ１２２：Ｎｏ）、トランスポンダ側集中制御部５３は、ステップＳ１２１以降の動作を繰り返す。
【００７８】
他方で、ステップＳ１２２における判定の結果、全ての光信号の波長が受信光波長情報として取得されていると判定される場合には（ステップＳ１２２：Ｎｏ）、トランスポンダ側集中制御部５３は、ＯＡＤＭトランスポンダユニット５２から装置内光ファイバ４２及び４３の誤接続があった旨が通知されているか否かを判定する（ステップＳ１２３）。
【００７９】
ステップＳ１２３における判定の結果、装置内光ファイバ４２及び４３の誤接続があった旨が通知されていると判定される場合には（ステップＳ１２３：Ｙｅｓ）、トランスポンダ側集中制御部５３は、図６のステップＳ１１１及びステップＳ１１４で検出されたＬＯＳ信号の原因が、装置内光ファイバ４２及び４３の誤接続であると判定する。従って、トランスポンダ側集中制御部５３は、装置内光ファイバ４２及び４３の誤接続が発生している旨を、例えばＯＡＤＭ２のオペレータに対して通知する（ステップＳ１２４）。例えば、トランスポンダ側集中制御部５３は、誤接続が発生している装置内光ファイバ４２及び４３の識別番号等を、例えばＯＡＤＭ２のオペレータに対して通知してもよい。或いは、トランスポンダ側集中制御部５３は、誤接続が発生している装置内光ファイバ４２及び４３を接続しているＯＡＤＭトランスポンダシェルフ５１やポート等を特定すると共に、当該特定したＯＡＤＭトランスポンダシェルフ５１やポート等を合わせて通知してもよい。例えば、トランスポンダ側集中制御部５３は、ＯＡＤＭトランスポンダシェルフ５１の識別番号や、コア側光出力ポート３４の識別番号や、コア側光入力ポート３５の識別番号や、装置内光ファイバインタフェースのコア側光ポートの識別番号や、装置内光ファイバインタフェースのトランスポンダ側光ポートの識別番号や、トランスポンダ側光入力ポート５２１の識別番号や、トランスポンダ側光出力ポート５２２の識別番号やの少なくとも１つを、誤接続が発生している対象として判定してもよい。
【００８０】
他方で、ステップＳ１２３における判定の結果、装置内光ファイバ４２及び４３の誤接続があった旨が通知されていないと判定される場合には（ステップＳ１２３：Ｎｏ）、トランスポンダ側集中制御部５３は、図６のステップＳ１１１及びステップＳ１１４で検出されたＬＯＳ信号の原因が、リングネットワーク８内の伝送劣化であると判定する。従って、トランスポンダ側集中制御部５３は、リングネットワーク８内の伝送劣化が発生している旨を、例えばＯＡＤＭ２のオペレータに対して通知する（ステップＳ１２５）。
【００８１】
尚、図８を参照して、図７に示すＯＡＤＭトランスポンダユニット５２の動作（つまり、局発光の波長を変更しながら受信動作を続ける動作）の技術的意義について、光受信器の特性と関連付けながら説明する。図８は、期待波長、局発光の波長及び実際に受光している光信号の波長を、光受信器５２３１の特性と関連付けて示すグラフである。
【００８２】
図８（ａ）に示すように、局発光の波長は、本来期待波長とほぼ同一となるように設定される。つまり、局発光の波長は、局発光の波長と期待波長との間の誤差が±２．５ＧＨｚ以内に収まるように設定される。或いは、図８（ｂ）に示すように、本実施形態のイントラダイン検波方式が包含しているホモダイン検波方式を採用する場合には、局発光の波長は、期待波長と同一となるように設定される。この場合、光受信器５２３１が期待波長の光信号を受信した場合には、適切なイントラダイン検波が行われるがゆえに受信した光信号のエラーレートがＬＯＳレベルを超えることはない。従って、ＬＯＳ信号が検出されることはない。
【００８３】
一方で、図８（ａ）に示すように、光受信器５２３１が実際に受信している光信号の波長（例えば、チャンネルＣＨ＃ｎ＋１に相当する波長＃ｎ＋１）が、期待波長（例えば、チャンネルＣＨ＃ｎに相当する波長＃ｎ）と異なっている場合を想定する。この場合、局発光の波長と実際に受信している光信号の波長とがほぼ同一になることはない。つまり、局発光の波長と実際に受信している光信号の波長との間の誤差が±２．５ＧＨｚ以内に収まることはない。このため、光受信器５２３１が光信号を受信したとしても、適切なイントラダイン検波が行われないがゆえに受信した光信号のエラーレートがＬＯＳレベルを超えてしまいかねない。従って、ＬＯＳ信号が検出されてしまいかねない。同様に、本実施形態のイントラダイン検波方式が包含しているホモダイン検波方式を採用する場合においても、図８（ｂ）に示すように、局発光の波長と実際に受信している光信号の波長とが同一になることはない。このため、光受信器５２３１が光信号を受信したとしても、適切なホモダイン検波が行われないがゆえに受信した光信号のエラーレートがＬＯＳレベルを超えてしまいかねない。従って、ＬＯＳ信号が検出されてしまいかねない。
【００８４】
他方で、図８（ｃ）に示すように、局発光の波長を、期待波長（例えば、チャンネルＣＨ＃ｎに相当する波長＃ｎ）とは異なる波長（例えば、チャンネルＣＨ＃ｎ＋１に相当する波長＃ｎ＋１）に変更した場合を想定する。この場合、局発光の波長と実際に受信している光信号の波長とがほぼ同一になる。つまり、局発光の波長と実際に受信している期待波長との間の誤差が±２．５ＧＨｚ以内に収まる。このため、光受信器５２３１が光信号を受信した場合には、適切なイントラダイン検波が行われるがゆえに受信した光信号のエラーレートがＬＯＳレベルを超えることはない。従って、ＬＯＳ信号が検出されることはない。同様に、本実施形態のイントラダイン検波方式が包含しているホモダイン検波方式を採用する場合においても、図８（ｄ）に示すように、局発光の波長を変更することで、局発光の波長と実際に受信している光信号の波長とが同一になる。このため、光受信器５２３１が光信号を受信した場合には、適切なホモダイン検波が行われるがゆえに受信した光信号のエラーレートがＬＯＳレベルを超えることはない。従って、ＬＯＳ信号が検出されることはない。
【００８５】
このような状況は、期待波長の光信号が伝送されている装置内光ファイバ４２及び４３と、光受信器５２３１が実際に受信している光信号が伝送されている装置内光ファイバ４２及び４３とが誤接続されている場合に生じ得ると考えられる。つまり、期待波長の光信号が伝送されている装置内光ファイバ４２及び４３が誤接続されているがゆえに、局発光の波長を期待波長とほぼ同一の値に設定した場合においてもＬＯＳ信号が検出されると考えられる。同様に、光受信器５２３１が実際に受信している光信号が伝送されている装置内光ファイバ４２及び４３が誤接続されているがゆえに、局発光の波長を期待波長とは異なる他の波長とほぼ同一の値に設定した場合にＬＯＳ信号が検出されなくなると考えられる。従って、図６及び図７に示す動作を行うことで、装置内光ファイバ４２及び４３が誤接続されていることを適切に検出することができると共に、誤接続されている装置内光ファイバ４２及び４３を適切に特定することができる。
【００８６】
以上説明したように、本実施形態の伝送システム１によれば、イントラダイン検波方式の光コヒーレント受信器を光受信器５２３１として用いるＯＤＭＡ２（或いは、ＯＤＭＡトランスポンダ５ないしはＯＤＭＡトランスポンダユニット５２）であっても、装置内光ファイバ４２又は４３の誤接続を好適に検出する（つまり、誤接続が発生しているか否かを好適に判定する）ことができる。従って、波長の増設や回線の追加等の際に発生し得る誤接続による悪影響を比較的迅速に排除することができる。加えて、伝送システム１のメンテナンス時のコストの削減をも図ることができる。
【００８７】
加えて、本実施形態の伝送システム１によれば、接続不可波長情報や期待波長情報や局発光波長履歴情報等を用いている。従って、これらの情報を用いることで、装置内光ファイバ４２又は４３の誤接続を好適に検出することができる。
【００８８】
尚、ＯＡＤＭコア装置３と光ファイバインタフェース４とＯＡＤＭトランスポンダ装置５とを相互に接続する装置内光ファイバ４２及び４３に加えて又は代えて、ＯＡＤＭ２内に敷設される他の光ファイバであって且つ光信号を伝送する光ファイバの誤接続も同様に検出することができる。
【００８９】
（３）変形例
図９から図１３を参照して、本実施形態のＯＡＤＭ２の変形例について説明する。
【００９０】
（３−１）第１変形例
図９を参照して、第１変形例について説明する。第１変形例では、上述した本実施形態の伝送システム１と比較して、ＯＡＤＭコア装置３とＯＡＤＭトランスポンダ装置５との間の光インタフェースの構成が異なっている。従って、以下では、説明の簡略化のために、上述した本実施形態の伝送システム１と異なる構成に着目して説明を進めると共に、上述した本実施形態の伝送システム１と同一の構成については、同一の参照符号を付してその詳細な説明については省略する。
【００９１】
図９に示すように、第１変形例のＯＡＤＭ２ａでは、ＯＡＤＭコア装置３とのＯＡＤＭトランスポンダ装置５との間の光インタフェースとして、上述したコア側光出力ポート３４及びコア側光入力ポート３５並びに装置内光ファイバインタフェース４１に代えて、ウエスト側波長多重部ＷＳＳ３１１の出力をリボンファイバ型のコア側装置内光ファイバ４２にまとめるＭＰＯ（Multi Port Optical Cable）コネクタ３６ａ及びリボンファイバ型のコア側装置内光ファイバ４２を個々のトランスポンダ側装置内光ファイバ４３に変換するラムダアクセス器４４ａが用いられている。尚、ウエスト側波長多重部ＷＳＳ３１１の出力に加えて又は代えて、ウエスト側波長多重部ＷＳＳ３１１の出力に加えて又は代えて、イースト側波長多重部ＷＳＳ３３２の入力や、ウエスト側波長多重部ＷＳＳ３３３の入力や、イースト側波長分離部ＷＳＳの出力が、リボンファイバ型のコア側装置内光ファイバ４２によってまとめられてもよい。つまり、第１変形例のＯＡＤＭ２では、ＯＡＤＭコア装置３の入出力を、リボンファイバ型のコア側装置内光ファイバ４２にまとめている。これにより、コア側装置内光ファイバ４２の取り扱い（取り回し）を比較的容易にすることができる。
【００９２】
尚、第１変形例では、ＯＡＤＭトランスポンダシェルフ５１の識別番号や、装置内光ファイバ４２及び４３の識別番号や、ＭＰＯコネクタ３６ａの光出力ポートの識別番号や、ラムダアクセス器４４ａの識別番号や、ラムダアクセス器のトランスポンダ側光ポートの識別番号や、トランスポンダ側光入力ポート５２１の識別番号や、トランスポンダ側光出力ポート５２２の識別番号やの少なくとも１つを、誤接続が発生している対象として判定してもよい。
【００９３】
（３−２）第２変形例
図１０を参照して、第２変形例について説明する。第２変形例では、上述した本実施形態の伝送システム１と比較して、ＯＡＤＭトランスポンダユニット５２の構成が異なっている。従って、以下では、説明の簡略化のために、上述した本実施形態の伝送システム１と異なる構成に着目して説明を進めると共に、上述した本実施形態の伝送システム１と同一の構成については、同一の参照符号を付してその詳細な説明については省略する。
【００９４】
図１０に示すように、第２変形例のＯＡＤＭトランスポンダユニット５２ｂは、複数のＸＦＰ５２８及び複数のＸＦＰ５２９を備えているという点で、上述したＯＡＤＭ２とは異なっている。つまり、第２変形例のＯＡＤＭトランスポンダユニット５２ｂは、マクスポンダユニットとしての機能を有している。
【００９５】
例えば、第２変形例のＯＡＤＭトランスポンダユニット５２ｂは、ＯＡＤＭコア装置３から転送される光信号を複数のサービス信号に分離すると共に、当該分離した複数のサービス信号を複数のＸＦＰ５２８を用いてクライアント装置７又はサーバ装置６へと転送することができる。より具体的には、例えば、第２変形例のＯＡＤＭトランスポンダユニット５２ｂは、ＯＸＵ部５２７２の動作により、ＯＡＤＭコア装置３から転送される４０Ｇの伝送容量を有する光信号を、例えば１０Ｇの伝送容量を有する４つのサービス信号に分離することができる。加えて、第２変形例のＯＡＤＭトランスポンダユニット５２ｂは、１０Ｇの伝送容量を有する４つのサービス信号を、複数の（例えば、４つの）ＸＦＰ５２８を介してクライアント装置７又はサーバ装置６へと転送することができる。
【００９６】
同様に、例えば、第２変形例のＯＡＤＭトランスポンダユニット５２ｂは、サーバ装置６又はクライアント装置７から転送される複数のサービス信号を多重化すると共に、多重化された複数のサービス信号を含む光信号をＯＡＤＭコア装置３へと転送することができる。より具体的には、例えば、第２変形例のＯＡＤＭトランスポンダユニット５２ｂは、ＯＸＵ部５２７４の動作により、サーバ装置６又はクライアント装置７から転送される１０Ｇの伝送容量を有する複数のサービス信号を、４０Ｇの伝送容量を有する光信号に多重化することができる。加えて、第２変形例のＯＡＤＭトランスポンダユニット５２ｂは、複数のサービス信号が多重化された４０Ｇの伝送容量を有する光信号をＯＡＤＭコア装置３へと転送することができる。
【００９７】
（３−３）第３変形例
図１１を参照して、第３変形例について説明する。第３変形例では、上述した本実施形態の伝送システム１と比較して、ＯＡＤＭトランスポンダユニット５２の構成が異なっている。従って、以下では、説明の簡略化のために、上述した本実施形態の伝送システム１と異なる構成に着目して説明を進めると共に、上述した本実施形態の伝送システム１と同一の構成については、同一の参照符号を付してその詳細な説明については省略する。
【００９８】
図１１に示すように、第３変形例のＯＡＤＭトランスポンダユニット５２ｃは、上述したＯＡＤＭトランスポンダユニット５２と比較して、ＸＦＰ５２８及びＸＦＰ５２９に代えてＯＡＤＭトランスポンダユニット５２と同様の構成を備えているという点で異なっている。つまり、第３変形例のＯＡＤＭトランスポンダユニット５２ｃは、中継局（言い換えれば、ＲＥＧＥＮ：Regenerator）としての機能を有している。
【００９９】
具体的には、図１１に示すように、第３変形例のＯＡＤＭトランスポンダユニット５２ｃのフレーマＬＳＩ５２７ｃは、上述したＦＥＣ部５２７１、ＯＸＵ部５２７２、ＦＥＣ部５２７３及びＯＸＵ部５２７４に加えて、ＦＥＣ部５２７４ｃ及び５２７６ｃを備えている。更に、第３変形例のＯＡＤＭトランスポンダユニット５２ｃは、トランスポンダ側光入力ポート５２１ｃと、トランスポンダ側光出力ポート５２２ｃと、光送受信器５２３ｃと、波長設定器５２４ｃと、局発光制御器５２５ｃと、入出力レジスタ５２６ｃとを更に備えている。尚、トランスポンダ側光入力ポート５２１ｃと、トランスポンダ側光出力ポート５２２ｃと、光送受信器５２３ｃと、波長設定器５２４ｃと、局発光制御器５２５ｃと、入出力レジスタ５２６ｃとは、上述したトランスポンダ側光入力ポート５２１と、トランスポンダ側光出力ポート５２２と、光送受信器５２３と、波長設定器５２４と、局発光制御器５２５と、入出力レジスタ５２６と同様の構成を有している。
【０１００】
ＦＥＣ部５２７５ｃは、ＯＸＵ部５２７２から出力されるサービス信号のエラー訂正処理を行うと共に、当該サービス信号を光送受信器５２３ｃの光送信器５２３３ｃへと転送する。尚、トランスポンダ側光入力ポート５２１からＯＸＵ部５２７２に至るまでの信号経路での動作は、上述したＯＡＤＭトランスポンダユニット５２と同一である。光送信器５２３３ｃは、ＦＥＣ部５２７５ｃから転送されるサービス信号を、光信号として、トランスポンダ側光出力ポート５２２ｃを介してＯＡＤＭトランスポンダユニット５２ｃの外部へと転送する。
【０１０１】
他方で、トランスポンダ側光入力ポート５２１ｃを介してＯＡＤＭトランスポンダユニット５２ｃの外部へと転送から転送される光信号は、光送受信器５２３ｃの光受信器５２３１ｃによって受信される。光受信器５２３１ｃは、トランスポンダ側光入力ポート５２１ｃから入力される光信号を、光発振器５２３２ｃから入力される局発光と混合してイントラダイン検波することでサービス信号に変換する。尚、光発振器５２３２ｃが発振する局発光の波長は、波長設定器５２４ｃ及び局発光制御器５２５ｃによって設定される。変換されたサービス信号は、ＦＥＣ部５２７６ｃへと転送される。ＦＥＣ部５２７６ｃは、転送されたサービス信号のエラー訂正処理を行うと共に、当該サービス信号をＯＸＵ部５２７４へと転送する。尚、ＯＸＵ部５２７４からトランスポンダ側光出力ポート５２２に至るまでの信号経路での動作は、上述したＯＡＤＭトランスポンダユニット５２と同一である。
【０１０２】
第４変形例によれば、ＯＡＤＭトランスポンダユニット５２が光信号の中継を行う場合であっても、上述した各種効果を享受することができる。
【０１０３】
（３−４）第４変形例
図１２を参照して、第４変形例について説明する。図１２に示すように、第４変形例のＯＡＤＭ２ｄは、上述した本実施形態のＯＡＤＭ２が備える構成に加えて、制御管理装置９ｄを更に備えている。制御管理装置９ｄは、コア側集中制御部３５及びトランスポンダ側集中制御部５３の少なくとも一方が行う動作（つまり、図５から図７に示す動作の一部又は全部）を行う。つまり、第４変形例のＯＡＤＭ２ｄでは、ＯＡＤＭコア装置３及びＯＡＤＭトランスポンダ装置５とは別個に、ＯＡＤＭコア装置３及びＯＡＤＭトランスポンダ装置５の動作を制御する又は管理する制御管理装置９ｄを備えているという点で、上述したＯＡＤＭ２とは異なっている。
【０１０４】
第４変形例によれば、ＯＡＤＭコア装置３及びＯＡＤＭトランスポンダ装置５の処理負荷（より具体的には、コア側集中制御部３５及びトランスポンダ側集中制御部５３の処理負荷）を低減しながら、上述した各種効果を享受することができる。
【０１０５】
（３−５）第５変形例
図１３を参照して、第５変形例について説明する。図１３に示すように、第５変形例のＯＡＤＭ２ｅは、上述した本実施形態のＯＡＤＭ２と比較して、ＯＡＤＭトランスポンダ装置５がトランスポンダ側集中制御部５３を備えていないという点で異なっている。尚、第５変形例のＯＡＤＭ２ｅのその他の構成については、上述した本実施形態のＯＡＤＭ２と同一であってもよい。第５変形例では、トランスポンダ側集中制御部５３が行う動作（つまり、図５から図７に示す動作の一部又は全部）は、コア型集中制御部３５が行う。
【０１０６】
第５変形例によれば、ＯＡＤＭトランスポンダ装置５の処理負荷やコスト等を低減しながら、上述した各種効果を享受することができる。
【０１０７】
尚、上述した実施形態及び第１変形例から第５変形例において説明する構成を適宜組み合わせてもよい。このように組み合わせたとしても、上述した各種効果を好適に享受することができる。
【０１０８】
以上説明した実施形態に関して、更に以下の付記を開示する。
【０１０９】
（付記１）
局発光を発振する発振器と、
所望の入力信号光を受信するように前記局発光の発振波長を制御する制御器と、
前記局発光と入力信号光を混合して検波するコヒーレント受信器と、
前記局発光の発振波長を制御することにより前記コヒーレント受信器が検波した前記入力信号光の波長が期待波長ではない場合に、信号線の誤接続を判定する判定装置と
を備えることを特徴とする伝送装置。
【０１１０】
（付記２）
前記コヒーレント受信器は、前記入力信号光を受光することができない場合にＬＯＬ（Loss of Light）信号を出力し、
前記検波によって得られた検波信号が変換された電気信号を信号処理すると共に、前記電気信号を信号処理することができない場合にＬＯＳ（Loss of Signal）信号を出力する信号処理回路を更に備え、
前記制御器は、前記ＬＯＬ信号が検出されず且つ前記ＬＯＳ信号が検出された場合に、前記局発光の発振波長を制御することを特徴とする付記１に記載の伝送装置。
【０１１１】
（付記３）
前記期待波長を示す期待波長情報と、前記発振器が発振済みの前記局発光の波長を示す局発光波長履歴情報と、前記コヒーレント受信器によって検波されていない前記入力信号光の波長を示す接続不可波長情報とを格納するレジスタを更に備え、
前記制御器は、(i)前記局発光の発振波長が、前記期待波長情報が示す前記期待波長となるように前記局発光の発振波長を制御し、(ii)前記局発光の発振波長が前記期待波長となるように制御した後に前記ＬＯＬ信号が検出されず且つ前記ＬＯＳ信号が検出された場合に、前記局発光の発振波長が、前記接続不可波長情報が示す波長のうち前記局発光波長履歴情報に含まれる波長以外の一の波長となるように前記局発光の発振波長を制御し、
前記判定装置は、前記局発光の発振波長が前記一の波長となるように制御された後に前記ＬＯＳ信号が検出されなくなった場合に、前記信号線の誤接続を判定することを特徴とする付記２に記載の伝送装置。
【０１１２】
（付記４）
前記信号処理回路は、前記局発光の発振波長を前記期待波長から変更した後に、前記検波によって得られた前記検波信号を変換した前記電気信号を信号処理することができた場合には、前記ＬＯＳ信号の出力を停止することを特徴とする付記２に記載の伝送装置。
【０１１３】
（付記５）
局発光を発振する発振器と、
所望の入力信号光を受信するように前記局発光の発振波長を制御する制御器と、
前記局発光と入力信号光を混合して検波するコヒーレント受信器と
を備える伝送装置を制御する制御装置であって、
前記局発光の発振波長を制御することにより前記コヒーレント受信器が検波した前記入力信号光の波長が期待波長ではない場合に、信号線の誤接続を判定する判定装置を備えることを特徴とする制御装置。
【０１１４】
（付記６）
局発光を発振する発振器と、
所望の入力信号光を受信するように前記局発光の発振波長を制御する制御器と、
前記局発光と入力信号光を混合して検波するコヒーレント受信器と
を備える伝送装置における信号線の誤接続検出方法であって、
前記制御器によって前記局発光の発振波長を制御することにより、前記コヒーレント受信器によって前記局発光及び前記入力信号光を混合して検波する検波工程と、
前記局発光の発振波長を制御することにより前記コヒーレント受信器が検波した前記入力信号光の波長が期待波長ではない場合に、信号線の誤接続を判定する判定工程と
を備えることを特徴とする誤接続検出方法。
【０１１５】
本発明は、上述した実施形態に限られるものではなく、請求の範囲及び明細書全体から読み取れる発明の要旨或いは思想に反しない範囲で適宜変更可能であり、そのような変更を伴なう伝送装置及び制御装置並びに誤接続検出方法もまた本発明の技術的範囲に含まれるものである。
【符号の説明】
【０１１６】
１  伝送システム
２  ＯＡＤＭ
３  ＯＡＤＭコア装置
３１１  ウエスト側光入力ポート
３１２  ウエスト側受信アンプ
３１３  ウエスト側フォトカプラ
３１４  イースト側合波用ＷＳＳ
３１５  イースト側送信アンプ
３１６  イースト側光出力ポート
３２１  イースト側光入力ポート
３２２  イースト側受信アンプ
３２３  イースト側フォトカプラ
３２４  ウエスト側合波用ＷＳＳ
３２５  ウエスト側送信アンプ
３２６  ウエスト側光出力ポート
３３１  ウエスト側波長分離部ＷＳＳ
３３２  イースト側波長多重部ＷＳＳ
３３３  ウエスト側波長多重部ＷＳＳ
３３４  イースト側波長分離部ＷＳＳ
３４  コア側光出力ポート
３５  コア側光入力ポート
３５  コア部集中制御部
４１  装置内光ファイバインタフェース
４２  コア側装置内光ファイバ
４３  トランスポンダ側装置内光ファイバ
５  ＯＡＤＭトランスポンダ装置
５２  ＯＡＤＭトランスポンダユニット
５２１  トランスポンダ側光入力ポート
５２２  トランスポンダ側光出力ポート
５２３  光送受信器
５２３１  光受信器
５２３２  光発振器
５２３３  光送信器
５２４  波長設定器
５２５  局発光制御器
５２６  入出力レジスタ
５２７  フレーマＬＳＩ
５２７１  ＦＥＣ部
５２７２  ＯＸＵ部
５２７３  ＦＥＣ部
５２７４  ＯＸＵ部
５２８  ＸＦＰ
５２９  ＸＦＰ
５３  トランスポンダ側集中制御部
６  サーバ装置
７  クライアント装置
８  リングネットワーク
【図１】
0005609463.tif 000002
【図２】
0005609463.tif 000003
【図３】
0005609463.tif 000004
【図４】
0005609463.tif 000005
【図５】
0005609463.tif 000006
【図６】
0005609463.tif 000007
【図７】
0005609463.tif 000008
【図８】
0005609463.tif 000009
【図９】
0005609463.tif 000010
【図１０】
0005609463.tif 000011
【図１１】
0005609463.tif 000012
【図１２】
0005609463.tif 000013
【図１３】
0005609463.tif 000014